(57)【要約】【課題】既存の排水システムの排水立て管をそのまま採用して排水システム全体をサイフォン排水システムに変更する。これによって、リフォ−ム時のコストが安価となるだけでなく、リフォ−ムの際の間取りの自由度が著しく増すこととなったものである。【解決手段】既存の排水システムが、排水立て管１と、各フロアの水廻り器具２ａ、２ｂに接続された勾配を付けた排水管３と、当該排水管３が排水立て管１に備えた合流部継手５Ｂに接続された勾配排水システムであって、リフォ−ム時にサイフォン排水システムに切り替え、サイフォン排水管１３の垂下部１３Ａを一階下のフロアの合流部継手５Ｂに接続し、既存の排水立て管１をリフォ−ム後のサイフォン排水システムの排水立て管として再利用する排水管リフォ−ムシステムである。１５はサイフォン排水システム用の合流継手である。【選択図】図４
2008111262.tif 000002
【特許請求の範囲】
【請求項１】
既存の排水システムが、排水立て管と、各フロアの水廻り器具に接続された勾配を付けた排水管と、当該排水管が排水立て管に備えた合流部に接続された勾配排水システムであって、リフォ−ム時にサイフォン排水システムに切り替え、サイフォン排水管の垂下部を一階下のフロアの合流部に接続し、既存の排水立て管をリフォ−ム後のサイフォン排水システムの排水立て管として再利用することを特徴とする排水管リフォ−ムシステム。
【請求項２】
勾配排水立て管に備えた合流部を、上階におけるサイフォン排水管の垂下部合流部に交換した請求項１記載の排水管リフォ−ムシステム。
【請求項３】
勾配排水立て管に備えた合流部に、上階におけるサイフォン排水管の垂下部集合継手を接続した請求項１記載の排水管リフォ−ムシステム。
【請求項４】
サイフォン排水管垂下部を、既存排水立て管に固定した請求項１乃至３いずれか１記載の排水管リフォ−ムシステム。
【発明の詳細な説明】
【技術分野】
【０００１】
本発明は、住宅のリフォ−ム時にサイフォン排水システムに切り替えるための排水管リフォ−ムシステムにかかるものである。
【背景技術】
【０００２】
従来の排水システムはいわゆる勾配排水システムであり、集合住宅にあっては、排水立て管がパイプスぺ−ス内に備えられ、各フロアの水廻り器具からの排水は基本的には勾配を付けた排水管が配置され、排水立て管に接合された継手に合流して排水するシステムである。
【０００３】
しかるに、集合住宅のリフォ−ムの際、部屋の配置の変更、即ち水廻り器具の配置の変更が行われるのが一般的である。しかしながら、パイプスぺ−ス内に立設されている排水立て管からの距離が遠くなれば、その分床下の空間が広く必要とされる。このことは、居住空間の縦スぺ−スが減ることとなり、住居として優れたものとは言えないものとなってしまうことが指摘されている。
【発明の開示】
【発明が解決しようとする課題】
【０００４】
本発明は、主として集合住宅のリフォ−ムの際に、上記したような欠点をなくす排水管リフォ−ムシステムを提供するものであり、従来の勾配排水システムからサイフォン排水システムに変更する際の新たなシステムの提案である。
【課題を解決するための手段】
【０００５】
本発明の要旨は、既存の排水システムが、排水立て管と、各フロアの水廻り器具に接続された勾配を付けた排水管と、当該排水管が排水立て管に備えた合流部に接続された勾配排水システムであって、リフォ−ム時にサイフォン排水システムに切り替え、サイフォン排水管の垂下部を一階下のフロアの合流部に接続し、既存の排水立て管をリフォ−ム後のサイフォン排水システムの排水立て管として再利用することを特徴とする排水管リフォ−ムシステムである。
【０００６】
そして、具体的には勾配排水立て管に備えられている合流部を、上階におけるサイフォン排水管の垂下部合流部に交換するか、或いはこの合流部に上階におけるサイフォン排水管の垂下部集合継手を接続した排水管リフォ−ムシステムであり、この垂下部は、前記の既存排水立て管にバンドやブラケット等で固定するのが好適である。
【発明の効果】
【０００７】
本発明は上記の構成を有するものであり、既存の排水システムの排水立て管をそのまま採用して排水システム全体をサイフォン排水システムに変更しようとするものである。これによって、リフォ−ム時のコストが安価となるだけでなく、リフォ−ムの際の間取りの自由度が著しく増すこととなったものである。
【発明を実施するための最良の形態】
【０００８】
さて、従前から採用されてた排水システムは、排水管を所定の勾配をつけて排水するシステムであって、その排水は排水立て管の合流部に接続されていた。かかる合流継手は多種あるが、例えば特許文献１に記載の継手が挙げられる。
【０００９】
【特許文献１】特開平１０−２３７９１２号公報
【００１０】
特許文献１の図１は勾配排水システムに用いられるＪＩＳ型継手の側面図及び正面図であり、図２はいわゆる特殊継手といわれる継手の側面図及び正面図である。これらは排水立て管にフロアと同じレベルかやや高いレベルで備えられ、継手より水平方向に接続口が設けられ、これに同一フロアの水廻り器具からの排水管が接続されることとなる。
【００１１】
一方、リフォ−ム時に新たに採用するサイフォン排水システムは特許文献２にその基本が開示されている。かかるサイフォン排水システムでは、水廻り器具が排水立て管からかなり離れたところでも十分排水できるという特徴があり、更に縦方向の居住空間を狭めなくて済むという利点もあるからである。
【００１２】
【特許文献２】特開２０００−２９７４４７号公報
【００１３】
かかるサイフォン排水システムの概要は、集合住宅の上下に排水立て管を配置し、水廻り器具からサイフォン排水管を無勾配でスラブの上面或いは下面に添って敷設し、排水立て管に対し排水管に垂下部を備え、一定の水頭差Ｈｓをもって合流部に接続させるものである。水廻り器具からの排水は排水管内を満流にて流れ、これが水頭差Ｈｓをもって落下する際の引張力によって排水管内の水を一気に排水しようとするものである。
【００１４】
本発明は既存の勾配排水システムと新たなサイフォン排水システムの融合を目指したものであり、既存のシステムに備わっている部位を十分に利用して新たな排水システムとしようとするものである。即ち、既存のシステムでは排水立て管と合流部が備えられているところから、これを全面的に再利用するものであり、ただし、合流部に流れ込む排水は既存のシステムでは同一フロアの排水がながされるが、本発明では一階上のフロアの排水をこの合流部にまで排水管を垂下させて合流させるものであり、かかる垂下部によってサイフォン起動力が発生するところとなるものである。
【００１５】
即ち、本発明は勾配排水システムに用いられていた既存の排水立て管をそのまま流用し、排水管が接続されていた合流部に上階のサイフォン排水システムの排水管の垂下部を接続する構造である。そして、具体的には既存の排水立て管に上階におけるサイフォン排水管の垂下部集合継手を新たに設けるか、従来の合流部を交換するか、従来の合流部にサイフォン排水システムの排水管の垂下部集合継手を連結するかの手段が採用され、垂下部は、前記の既存排水立て管にバンドやブラケット等で固定するのがよい。
【実施例】
【００１６】
以下、本発明を実施例をもって更に説明する。先ず、図１は既設の勾配排水システムの概略を示す図である。即ち、排水立て管１と、水廻り器具２ａ、２ｂ、．．．とがあり、その間を勾配を付けた排水管３が接続された例である。Ｓ（ｎ）はスラブであり、スラブＳ（ｎ）上の全ての水廻り器具２ａ、２ｂ、．．．から出る排水は全て同一階で排水立て管１に接続されている。この例では例えば特許文献１の図１に記載された継手５Ａを各階（ｎ）の合流部に用いたものである。６は排水立て管１との接続口、７は排水管３との接続口である。
【００１７】
図２は特許文献１の図２に記載されたいわゆる特殊継手といわれる継手５Ｂを用いた例である。
【００１８】
さて、図３は本発明の第１実施例であって、図１の既設の排水システムをリフォ−ムしてサイフォン排水システムに変更した概略図である。この例では、スラブＳｍにおける水廻り器具１２ａ、１２ｂ、．．．の位置を変更し、夫々に排水管１３を接続したものであり、スラブＳｍ面に添って無勾配で配設したものである。
【００１９】
そして、排水立て管１と排水管１３との接続にあっては、水廻り器具１２ａ、１２ｂ、．．．の配備された階（ｍ）よりも一階下の階（ｍ−１）の合流部に排水管１３の垂下部１３Ａの先端が接続されることとなる。この例では、既存の合流部即ち継手５Ａをサイフォン排水システム用の合流継手１５に交換したものである。排水管１３の垂下部１３Ａはこの例では既存の排水立て管１にバンド１６をもって固定された例である。
【００２０】
尚、図示はしないが、継手５Ａを封鎖し、新たに排水立て管１にサイフォン排水システムの合流継手１５を設置してもよいことは勿論である。
【００２１】
又、この例ではスラブＳｍの上面に配設したが、図示はしないが、スラブＳｍの下面（即ち、一階下からは天井裏）を排水管１３を配設する場合もある。
【００２２】
本発明の第１実施例にあって、通常は既存のパイプシャフト内にて排水管１３の垂下部１３Ａや合流部１５が備えられるが、排水管１３の垂下部１３Ａや排水立て管１との合流部１５等が人目に触れることとなる場合もある。更に、既存の排水立て管１は屋内に露出して設置されたり、屋外に設置されている場合もある。従って、一目に触れる可能性がある場合には、安全性の確保や美観を損ねないため、適当な隠蔽手段、例えば間仕切り等をもってこれらを囲ってしまう方が良い。尚、将来のメンテナンスの必要性から、合流部付近に点検口を備えておくのが好ましい。
【００２３】
図４は本発明の第２実施例を示す部分図であり、パイプシャフト２０内に排水立て管１が立設されており、合流部として継手５Ｂが接続された例である。パイプシャフト２０には排水管１３を貫通させる開口部２１を形成し、このパイプシャフト２０内を垂下させ、一方、継手５Ｂにサイフォン排水システム用の合流継手１５を接続したものである。勿論、前例の継手５Ａにも接続可能ではある。
【産業上の利用可能性】
【００２４】
本発明は既存の勾配排水システムの排水立て管をそのまま採用して排水システム全体をサイフォン排水システムに変更するものであり、リフォ−ム時のコストが安価となるだけでなく、リフォ−ムの際の間取りの自由度が著しく増すこととなったものである。
【図面の簡単な説明】
【００２５】
【図１】図１は特許文献１の図１に記載された継手５Ａを用いた既設の勾配排水システムの概略を示す図である。
【図２】図２は特許文献１の図２に記載された継手５Ｂを用いた既設の勾配排水システムの一部拡大図である。
【図３】図３は本発明の第１実施例であって、図１の既設の排水システムをリフォ−ムしてサイフォン排水システムに変更した概略図である。
【図４】図４は本発明の第２実施例であって、図２の既設の排水システムをリフォ−ムしてサイフォン排水システムに変更した概略図である。
【符号の説明】
【００２６】
１‥既存の排水立て管、
２ａ、２ｂ‥既存の水廻り器具、
３‥既存の排水管、
５Ａ、５Ｂ‥既存の継手、
６‥排水立て管との接続口、
７‥排水管との接続口、
１２ａ、１２ｂ‥水廻り器具、
１３‥排水管、
１３Ａ‥排水管の垂下部、
１５‥サイフォン排水システム用の合流継手、
１６‥バンド、
２０‥パイプシャフト、
２１‥パイプシャフトの開口部、
Ｓ‥スラブ。
【図１】
2008111262.tif 000003
【図２】
2008111262.tif 000004
【図３】
2008111262.tif 000005
【図４】
2008111262.tif 000006